(57)【要約】【課題】外圧の方向と大きさを高い精度で検出することが可能な検出装置、電子機器及びロボットを提供する。【解決手段】基準点Ｐの回りに複数配置された受光センサー１２、を有する第１基板１０と、第１基板１０と対向配置された導光板３０と、導光板３０の端面に光を入射させる光源３１と、基準点Ｐと重なる位置に重心が位置するとともに外圧によって先端部が導光板３０に当接した状態で弾性変形する弾性体突起２２、が形成された第２基板２０と、を備え、第１基板１０と第２基板２０とは、導光板３０を挟んで配置され、且つ、受光センサー１２が形成された面と弾性体突起２２が形成された面とを対向させて配置されている。【選択図】図１
2012026907.tif 000002
【特許請求の範囲】
【請求項１】
基準点に加えられた外圧の方向と大きさを検出する検出装置であって、
前記基準点の回りに複数配置された受光センサー、を有する第１基板と、
前記第１基板と対向配置された導光板と、
前記導光板の端面に光を入射させる光源と、
前記基準点と重なる位置に重心が位置するとともに外圧によって先端部が前記導光板に当接した状態で弾性変形する弾性体突起、が形成された第２基板と、
を備え、
前記第１基板と前記第２基板とは、前記導光板を挟んで配置され、且つ、前記受光センサーが形成された面と前記弾性体突起が形成された面とを対向させて配置されていることを特徴とする検出装置。
【請求項２】
外圧によって前記弾性体突起が弾性変形することにより複数の前記受光センサーで検出された光量値のうち任意に組み合わされた各受光センサーで検出された光量値の差分を演算し、その差分に基づいて外圧が加えられた方向と外圧の大きさを演算する演算装置を備えることを特徴とする請求項１に記載の検出装置。
【請求項３】
前記複数の受光センサーは、前記基準点に対して点対称に配置されていることを特徴とする請求項１または２に記載の検出装置。
【請求項４】
前記複数の受光センサーは、互いに直交する２方向にマトリクス状に配置されていることを特徴とする請求項３に記載の検出装置。
【請求項５】
前記複数の受光センサーは、互いに直交する２方向に少なくとも４行４列に配置されていることを特徴とする請求項４に記載の検出装置。
【請求項６】
前記弾性体突起は前記第２基板に複数形成されており、
前記複数の弾性体突起は、互いに離間して配置されていることを特徴とする請求項１〜５のいずれか１項に記載の検出装置。
【請求項７】
前記第２基板の前記弾性体突起が形成された側と反対の側には、前記第２基板よりも高い剛性を有する補強部材が配置されていることを特徴とする請求項６に記載の検出装置。
【請求項８】
請求項１〜７のいずれか１項に記載の検出装置を備えることを特徴とする電子機器。
【請求項９】
請求項１〜７のいずれか１項に記載の検出装置を備えることを特徴とするロボット。
【発明の詳細な説明】
【技術分野】
【０００１】
本発明は、検出装置、電子機器及びロボットに関するものである。
【背景技術】
【０００２】
外力を検出する検出装置として、特許文献１及び２に記載の検出装置が知られている。このような検出装置は、タッチパネルやロボットの触覚センサー等への応用が検討されている。
【先行技術文献】
【特許文献】
【０００３】
【特許文献１】特開昭６０−１３５８３４号公報
【特許文献２】特開平７−１２８１６３号公報
【発明の概要】
【発明が解決しようとする課題】
【０００４】
特許文献１の検出装置は、裏面に錘状突起が略均一に配置された受圧シートを用い、その突起の変形量から圧力分布を検出する構成となっている。しかしながら、特許文献１の検出装置では、測定面にかかる圧力の面内方向の力（すべり力）を測定することができない。
特許文献２の検出装置は、受圧シートの表面に複数の柱状突起を格子状に配置し、これら表面突起の周辺部を等分した個所の裏面に円錐状の突起を設けた構成となっている。特許文献２の検出装置では、外圧を３次元の力ベクトルとして検出することは可能であるが、突起の変形の度合いで外圧の検出限界が決まってしまう。
以上のように、特許文献１及び２の検出装置では、いずれも外圧の方向と大きさを高い精度で検出することができなかった。
【０００５】
本発明はこのような事情に鑑みてなされたものであって、外圧の方向と大きさを高い精度で検出することが可能な検出装置、電子機器及びロボットを提供することを目的とする。
【課題を解決するための手段】
【０００６】
上記の課題を解決するため、本発明の検出装置は、基準点に加えられた外圧の方向と大きさを検出する検出装置であって、前記基準点の回りに複数配置された受光センサー、を有する第１基板と、前記第１基板と対向配置された導光板と、前記導光板の端面に光を入射させる光源と、前記基準点と重なる位置に重心が位置するとともに外圧によって先端部が前記導光板に当接した状態で弾性変形する弾性体突起、が形成された第２基板と、を備え、前記第１基板と前記第２基板とは、前記導光板を挟んで配置され、且つ、前記受光センサーが形成された面と前記弾性体突起が形成された面とを対向させて配置されていることを特徴とする。
【０００７】
この検出装置によれば、弾性体突起の先端部が導光板に当接した状態ですべり方向（導光板表面に平行な方向）に変形するので、特許文献１や特許文献２の検出装置に比べて、外圧の方向と大きさの検出精度を高めることができる。第２基板の表面に外圧が付加されると、弾性体突起は先端部が導光板に当接した状態で圧縮変形する。このとき、外圧に面内の所定の方向のすべり力がある場合、弾性体突起の変形には偏りが生じる。すなわち、弾性体突起の重心は基準点からずれて所定方向（すべり方向）に移動する。すると、弾性体突起の先端部と導光板との接触する面積は、弾性体突起の重心が移動した部分と重なる位置の受光センサーで相対的に大きくなる。光源からの光は、弾性体突起の先端部と導光板との接触部で散乱する。弾性体突起の先端部と導光板との接触面積が相対的に大きい部分ほど散乱する光の量が多くなる。つまり、各受光センサーで異なる値の光量値が検出される。具体的には、弾性体突起の重心と重なる位置の受光センサーでは相対的に大きい光量値が検出され、弾性体突起の重心と重ならない位置の受光センサーでは相対的に小さい光量値が検出されることとなる。よって、演算装置により、各受光センサーで検出された光量値の差分を演算し、その差分に基づいて外圧が加えられた方向と大きさを求めることができる。したがって、外圧の方向と大きさを高い精度で検出することが可能な検出装置を提供することができる。
【０００８】
前記検出装置において、外圧によって前記弾性体突起が弾性変形することにより複数の前記受光センサーで検出された光量値のうち任意に組み合わされた各受光センサーで検出された光量値の差分を演算し、その差分に基づいて外圧が加えられた方向を演算する演算装置を備えていてもよい。
【０００９】
前記検出装置において、前記複数の受光センサーは、前記基準点に対して点対称に配置されていてもよい。
【００１０】
この検出装置によれば、基準点と各受光センサーとの間の距離が互いに等しくなるので、弾性体突起の変形量と各受光センサーで検出される光量値との関係が互いに等しくなる。例えば、複数の受光センサーが基準点から互いに異なる距離に配置される場合、弾性体突起の変形量が同じであっても、各受光センサーで検出される光量値は互いに異なることとなる。このため、検出値の差分を演算する際に各受光センサーの配置位置に応じた補正係数が必要となる。しかしながら、この構成によれば、弾性体突起の変形量と各受光センサーが検出する光量値との関係が互いに等しくなるので、前記補正係数は不要となる。したがって、各受光センサーで検出された光量値の差分を演算することが容易となり、外圧を効率よく検出することができる。
【００１１】
前記検出装置において、前記複数の受光センサーは、互いに直交する２方向にマトリクス状に配置されていてもよい。
【００１２】
この検出装置によれば、各受光センサーの光量値のうち任意に組み合わされた各受光センサーの光量値の差分から外圧の方向と大きさを演算することが容易となる。
【００１３】
前記検出装置において、前記複数の受光センサーは、互いに直交する２方向に少なくとも４行４列に配置されていてもよい。
【００１４】
この検出装置によれば、配置される受光センサーの数が多くなる。このため、多数の受光センサーで検出される光量値に基づいて各受光センサーの検出結果を積算して外圧の作用する方向と大きさを求めることができる。したがって、外圧の方向と大きさを高い精度で検出することができる。
【００１５】
前記検出装置において、前記弾性体突起は前記第２基板に複数形成されており、前記複数の弾性体突起は、互いに離間して配置されていてもよい。
【００１６】
この検出装置によれば、弾性体突起が弾性変形したときの第２基板本体の面内に平行な方向の変形量を許容することができる。例えば、一方の弾性体突起が変形したときに他方の弾性体突起に変形の影響を及ぼすことを抑制することができる。このため、複数の弾性体突起が互いに接触して配置されている場合に比べて、外圧を正確に各受光センサーに伝達することができる。したがって、外圧の方向と大きさを高い精度で検出することができる。
【００１７】
前記検出装置において、前記第２基板の前記弾性体突起が形成された側と反対の側には、前記第２基板よりも高い剛性を有する補強部材が配置されていてもよい。
【００１８】
この検出装置によれば、例えば、外圧が２つの隣り合う弾性体突起の間の領域に作用する場合、補強部材が無いときに比べて２つの隣り合う弾性体突起が互いに反対の方向に圧縮変形してしまうことを抑制することができる。つまり、外圧の加えられた方向と反対の方向を検出するといった誤検出を抑制することができる。したがって、外圧の方向と大きさを高い精度で検出することができる。
【００１９】
本発明の電子機器は、上述した検出装置を備えることを特徴とする。
【００２０】
この電子機器によれば、上述した検出装置を備えているので、外圧の方向と大きさを高い精度で検出することが可能な電子機器を提供することができる。
【００２１】
本発明のロボットは、上述した検出装置を備えることを特徴とする。
【００２２】
このロボットによれば、上述した検出装置を備えているので、外圧の方向と大きさを高い精度で検出することが可能なロボットを提供することができる。
【図面の簡単な説明】
【００２３】
【図１】本発明の第１実施形態に係る検出装置の概略構成を示す分解斜視図である。
【図２】第１実施形態に係る受光センサーによる光量値の変化を示す断面図である。
【図３】第１実施形態に係る受光センサーによる光量値の変化を示す平面図である。
【図４】第１実施形態に係るセンシング領域の座標系を示す図である。
【図５】第１実施形態に係る受光センサーによる垂直方向の圧力分布を示す図である。
【図６】第１実施形態に係る受光センサーによるすべり方向の計算例を示す図である。
【図７】本発明の第２実施形態に係る検出装置の概略構成を示す分解斜視図である。
【図８】第２実施形態に係る受光センサーによる光量値の変化を示す断面図である。
【図９】第２実施形態に係る受光センサーによる光量値の変化を示す平面図である。
【図１０】第２実施形態に係るセンシング領域の座標系を示す図である。
【図１１】本発明の第３実施形態に係る検出装置の概略構成を示す分解斜視図である。
【図１２】第３実施形態に係る受光センサーによる光量値の変化を示す断面図である。
【図１３】電子機器の一例である携帯電話機の概略構成を示す模式図である。
【図１４】電子機器の一例である携帯情報端末の概略構成を示す模式図である。
【図１５】ロボットの一例であるロボットハンドの概略構成を示す模式図である。
【発明を実施するための形態】
【００２４】
以下、図面を参照して、本発明の実施の形態について説明する。かかる実施の形態は、本発明の一態様を示すものであり、この発明を限定するものではなく、本発明の技術的思想の範囲内で任意に変更可能である。また、以下の図面においては、各構成をわかりやすくするために、実際の構造と各構造における縮尺や数等が異なっている。
【００２５】
以下の説明においては、図１中に示されたＸＹＺ直交座標系を設定し、このＸＹＺ直交座標系を参照しつつ各部材について説明する。ＸＹＺ直交座標系は、Ｘ軸及びＹ軸が第１基板１０に対して平行な方向に設定され、Ｚ軸が第１基板１０に対して直交する方向に設定されている。
【００２６】
（第１実施形態）
図１は、本発明の第１実施形態に係る検出装置１の概略構成を示す分解斜視図である。図１において、符号Ｐは基準点、符号Ｓは１つの弾性体突起２２に対応して配置された複数の受光センサー１２が検出する単位検出領域を示している。
【００２７】
検出装置１は、基準点に加えられた外圧の方向と大きさを検出する受光センサー方式のタッチパッドであり、例えばノートパソコン等の電子機器においてマウスの代わりのポインティングデバイスとして用いられるものである。なお、「基準点」とは、すべり力が作用していない場合に弾性体突起の中心が位置するポイントである。
【００２８】
図１に示すように、検出装置１は、基準点Ｐの回りに複数配置された受光センサー１２、を有する第１基板１０と、第１基板１０と対向配置された導光板３０と、導光板３０の端面に光を入射させる光源３１と、基準点Ｐと重なる位置に重心が位置するとともに外圧によって先端部が導光板３０に当接した状態で弾性変形する弾性体突起２２、が形成された第２基板２０と、を備えている。
【００２９】
検出装置１は、外圧によって弾性体突起２２が弾性変形することにより複数の受光センサー１２で検出された光量値のうち任意に組み合わされた各受光センサーで検出された光量値の差分を演算し、その差分に基づいて外圧が加えられた方向と大きさを演算する演算装置（図示略）を備えている。
【００３０】
第１基板１０は、例えばガラス、石英及びプラスチック等の材料で構成された矩形板状の第１基板本体１１と、第１基板本体１１に配置された複数の受光センサー１２と、を具備して構成されている。例えば、第１基板本体１１の大きさ（平面視のサイズ）は、縦５６ｍｍ×横５６ｍｍ程度になっている。
【００３１】
複数の受光センサー１２は、基準点Ｐに対して点対称に配置されている。例えば、複数の受光センサー１２は、互いに直交する２方向（Ｘ方向及びＹ方向）にマトリクス状に配置されている。これにより、基準点Ｐと各受光センサー１２との間の距離が互いに等しくなるので、弾性体突起２２の変形量と各受光センサー１２で検出される光量値との関係が互いに等しくなる。よって、各受光センサー１２の光量値のうち任意に組み合わされた各受光センサー１２で検出された光量値の差分を演算することが容易となる。なお、光量値の差分の演算方法については後述する。
【００３２】
隣り合う受光センサー１２の間隔は、０．１ｍｍ程度になっている。このため、外乱や静電気等の影響により隣り合う位置の受光センサー１２で検出される光量値にノイズがのらないようになっている。
【００３３】
複数の受光センサー１２は、単位検出領域Ｓ当たり縦２行横２列に計４つ配置されている。４つの受光センサー１２の中心（単位検出領域Ｓの中心）が基準点Ｐとなっている。例えば、単位検出領域Ｓの大きさ（平面視のサイズ）は、縦２．８ｍｍ×横２．８ｍｍ程度になっている。また、４つの受光センサー１２の各面積がほぼ等しくなっている。受光センサー１２は、例えば受光素子であり、導光板３０からの光を受光するものである。
【００３４】
導光板３０は、矩形板状であり、平面視において第１基板本体１１と同じサイズに形成されている。導光板３０は、光源３１から出射された光を導くものである。導光板３０は、例えばアクリル樹脂、ポリカーボネート樹脂、ポリスチレン樹脂等の透明性に優れた樹脂またはガラス等の材料で構成することができる。導光板３０と第１基板１０との間は所定の間隔だけ離間しており、例えば空気層が介在している。
【００３５】
光源３１は、例えばＬＥＤを備えて構成されている。光源３１は、その出射光が導光板３０の端面に入射される位置に設けられている。
【００３６】
第２基板２０は、矩形板状の第２基板本体２１と、第２基板本体２１に配置された複数の弾性体突起２２と、を具備して構成されている。第２基板本体２１は、外圧を直接受ける部分である。第２基板本体２１は、例えばガラス、石英及びプラスチック等の材料で構成することもできるし、発泡ウレタン樹脂、シリコーン樹脂等の樹脂材料で構成することもできる。本実施形態では、第２基板本体２１及び弾性体突起２２の形成材料として樹脂材料を用い、第２基板本体２１及び弾性体突起２２を金型で一体形成している。
【００３７】
複数の弾性体突起２２は、第２基板本体２１上においてＸ方向及びＹ方向にマトリクス状に配置されている。弾性体突起２２の先端部は、球面の錘状となっており、導光板３０に当接している。弾性体突起２２の重心は、初期的に基準点Ｐと重なる位置に配置されている。また、複数の弾性体突起２２は、互いに離間して配置されている。このため、弾性体突起２２が弾性変形したときの第２基板本体２１の面内に平行な方向の変形量を許容することができる。
【００３８】
弾性体突起２２のサイズは任意に設定することができる。ここでは、弾性体突起２２の基部の径（弾性体突起２２が第１基板１０に接する部分の直径）は１．８ｍｍ程度になっている。弾性体突起２２の高さ（弾性体突起２２のＺ方向の距離）は２ｍｍ程度になっている。隣り合う弾性体突起２２の離間間隔は１ｍｍ程度になっている。弾性体突起２２のデュロメータ硬さ（タイプＡ、ＩＳＯ７６１９準拠のデュロメータによる硬さ測定値）は３０程度になっている。
【００３９】
図２及び図３は、基準点Ｐに作用する外圧の方向と大きさを検出する方法の説明図である。
図２（ａ）〜（ｃ）は、第１実施形態に係る受光センサーによる光量値の変化を示す断面図である。図３（ａ）〜（ｃ）は、図２（ａ）〜（ｃ）に対応した、第１実施形態に係る受光センサーによる光量値の変化を示す平面図である。なお、図２（ａ）及び図３（ａ）は第２基板２０の表面に外圧が付加される前の状態（外圧の作用がないとき）を示している。図２（ｂ）及び図３（ｂ）は第２基板２０の表面に垂直方向（すべり力がない状態）の外圧が付加された状態を示している。図２（ｃ）及び図３（ｃ）は第２基板２０の表面に斜め方向（すべり力がある状態）の外圧が付加された状態を示している。また、図３（ａ）〜（ｃ）において、符号Ｇは弾性体突起２２の重心（圧力中心）を示している。
【００４０】
図２（ａ）及び図３（ａ）に示すように、第２基板２０の表面に外圧が付加される前においては、弾性体突起２２は変形しない。これにより、第１基板１０と導光板３０との間の距離は一定に保たれる。このとき、弾性体突起２２の重心Ｇは基準点Ｐと重なる位置に配置されている。導光板３０の一端の端面に入射した光は、導光板３０と空気との屈折率の比から導光板３０の内部において、導光板３０の上面と下面との間で全反射を繰り返す。弾性体突起２２の先端部と導光板３０とが接触している部分において光が散乱する。散乱した光の光量値は各受光センサー１２検出でされるこのときの各受光センサー１２の光量値は図示略のメモリに記憶されている。メモリに記憶された各受光センサー１２の光量値を基準として外圧の作用する方向や大きさが求められる。
【００４１】
図２（ｂ）及び図３（ｂ）に示すように、第２基板２０の表面に垂直方向の外圧が付加されたときには、弾性体突起２２は先端部が導光板３０に当接した状態でＺ方向に圧縮変形する。これにより、第２基板２０が−Ｚ方向に撓み、第１基板１０と導光基板３０との間の距離が外圧の作用がないときに比べて小さくなる。弾性体突起２２の先端部と導光板３０との接触面積が相対的に大きい部分ほど散乱する光の量が多くなる。このときの受光センサーの光量値は、外圧の作用がないときに比べて大きくなる。また、その変化量は各受光センサー１２ともほぼ同じ値となる。
【００４２】
図２（ｃ）及び図３（ｃ）に示すように、第２基板２０の表面に斜め方向の外圧が付加されたときには、弾性体突起２２は先端部が導光板３０に当接した状態で斜めに傾いて圧縮変形する。これにより、第２基板２０が−Ｚ方向に撓み、第１基板１０と導光板３０との間の距離が外圧の作用がないときに比べて小さくなる。このとき、弾性体突起２２の重心Ｇは基準点Ｐから＋Ｘ方向及び＋Ｙ方向にずれる。この場合、弾性体突起２２の先端部と４つの受光センサー１２との重なる面積は互いに異なる。具体的には、弾性体突起２２の先端部と４つの受光センサー１２との重なる面積は、４つの受光センサー１２のうち−Ｘ方向及び−Ｙ方向に配置された部分と重なる面積よりも＋Ｘ方向及び＋Ｙ方向に配置された部分と重なる面積のほうが大きくなる。
【００４３】
弾性体突起２２は、斜め方向の外圧により変形に偏りが生じる。すなわち、弾性体突起２２の重心は基準点Ｐからずれてすべり方向（Ｘ方向及びＹ方向）に移動する。すると、各受光センサー１２で異なる値の光量値が検出される。具体的には、弾性体突起２２の重心と重なる位置の受光センサー１２では相対的に大きい光量値が検出され、弾性体突起２２の重心と重ならない位置の受光センサー１２では相対的に小さい光量値が検出されることとなる。そして、後述する差分の演算方法に基づいて外圧が加えられた方向が求められる。
【００４４】
図４は、第１実施形態に係るセンシング領域の座標系を示す図である。図５は、第１実施形態に係る受光センサーによる垂直方向の圧力分布を示す図である。図６は、第１実施形態に係る受光センサーによるすべり方向の計算例を示す図である。
【００４５】
図４に示すように、複数の受光センサーＳ１〜Ｓ４は、単位検出領域Ｓ当たり縦２行横２列に計４つ配置されている。ここで、各受光センサーＳ１〜Ｓ４が検出する光量値（検出値）をそれぞれＰＳ１，ＰＳ２，ＰＳ３，ＰＳ４とすると、外力のＸ方向成分Ｆｘ（外力の面内方向成分のうちＸ方向に作用する分力の割合）は以下の式（１）で表される。
【００４６】
【数１】
2012026907.tif 000003
【００４７】
また、外力のＹ方向成分Ｆｙ（外力の面内方向成分のうちＹ方向に作用する分力の割合）は以下の式（２）で表される。
【００４８】
【数２】
2012026907.tif 000004
【００４９】
また、外力のＺ方向成分Ｆｚ（外力の垂直方向成分）は以下の式（３）で表される。
【００５０】
【数３】
2012026907.tif 000005
【００５１】
本実施形態では、外圧によって弾性体突起が弾性変形することにより４つの受光センサーＳ１〜Ｓ４で検出された光量値のうち任意に組み合わされた各受光センサーで検出された光量値の差分を演算し、その差分に基づいて外圧が加えられた方向が演算される。
【００５２】
式（１）に示すように、外圧のＸ方向成分Ｆｘにおいては、４つの受光センサーＳ１〜Ｓ４で検出された光量値のうち＋Ｘ方向に配置された受光センサーＳ２及びＳ４で検出された値が組み合わされるとともに、−Ｘ方向に配置された受光センサーＳ１及びＳ３で検出された値が組み合わされる。このように、＋Ｘ方向に配置された受光センサーＳ２及びＳ４の組み合わせによる光量値と−Ｘ方向に配置された受光センサーＳ１及びＳ３の組み合わせによる光量値との差分に基づいて外圧のＸ方向成分が求められる。
【００５３】
式（２）に示すように、外圧のＹ方向成分Ｆｙにおいては、４つの受光センサーＳ１〜Ｓ４で検出された光量値のうち＋Ｙ方向に配置された受光センサーＳ１及びＳ２で検出された値が組み合わされるとともに、−Ｙ方向に配置された受光センサーＳ３及びＳ４で検出された値が組み合わされる。このように、＋Ｙ方向に配置された受光センサーＳ１及びＳ２の組み合わせによる光量値と−Ｙ方向に配置された受光センサーＳ３及びＳ４の組み合わせによる光量値との差分に基づいて外圧のＹ方向成分が求められる。
【００５４】
式（３）に示すように、外圧のＺ方向成分Ｆｚにおいては、４つの受光センサーＳ１〜Ｓ４の光量値を足し合わせた合力で求められる。ただし、外圧のＺ方向成分Ｆｚは、外圧のＸ方向成分Ｆｘ及び外圧のＹ方向成分Ｆｙ（分力）に比べて検出値が大きく検出される傾向がある。例えば、弾性体突起２２の材質として硬いものを用いたり、先端部の形状を先鋭にしたりすると、外圧のＺ方向成分Ｆｚの検出感度が高くなる。しかしながら、弾性体突起２２の材質として硬いものを用いると弾性体突起２２が変形しにくくなり外圧の面内方向の検出値が小さくなってしまう。また、弾性体突起２２の先端部の形状を先鋭にすると接触面を指で触ったときのタッチ感に強い感度（違和感）を与える場合がある。このため、外圧のＺ方向成分Ｆｚの検出値を、外圧のＸ方向成分Ｆｘ及び外圧のＹ方向成分Ｆｙの検出値と揃えるには、弾性体突起２２の材質や形状によって決定される補正係数で検出値を適宜補正する必要がある。
【００５５】
図５に示すように、タッチパッドの検出面の中央部より左上寄りの位置を指で斜めに押した場合を考える。このとき、外圧の垂直方向の圧力は、外圧が作用した部分の中心部が最も大きくなっている（受光センサーの出力電圧９０〜１２０ｍＶ程度）。また、外圧の垂直方向の圧力は、中心部に次いでその周辺部（６０〜９０ｍＶ程度）、最外周部（３０〜６０ｍＶ程度）の順に小さくなっている。また、指で押されていない領域は、受光センサーの出力電圧が０〜３０ｍＶ程度となっている。なお、タッチパッドには単位検出領域（受光センサーＳ１〜Ｓ４が縦２行横２列に計４つ配置された領域）がマトリクス状（例えば縦１５行×横１５列に計２２５個）に配置されているとする。
【００５６】
図６に示すように、タッチパッドの検出面の中央部より左上寄りの位置を指で斜めに押した場合の外圧の面内方向成分（すべり方向）の算出方法を考える。このとき、指の押圧力（外力）は、縦１５行×横１５列に配置されたものうち縦３行×横３列に配置された部分に作用しているとする。ここで、外圧の垂直方向の圧力は、図５と同様に外圧が作用した部分の中心部がもっとも大きくなっている（１１０ｍＶ）。
【００５７】
縦３行×横３列に配置された各単位検出領域は、それぞれ４つの受光センサーＳ１〜Ｓ４を有しており、各受光センサーＳ１〜Ｓ４で検出された光量値のうち任意に組み合わされた各受光センサーで検出された光量値の差分を演算し、その差分に基づいて外圧が加えられた方向が演算される。つまり、各単位検出領域では、上述した式（１）及び式（２）に基づいて外圧のＸ方向成分Ｆｘ及び外圧のＹ方向成分Ｆｙが算出される。ここでは、＋Ｘ方向を基準として左回りに約１２３°の方向に外圧が作用していることが分かる。なお、外圧の作用する方向の算出にあっては、９つの算出結果の平均値で求める方法、あるいは９つの算出結果のうちの最大値（例えば所定のしきい値よりも大きい検出値）により求める方法を用いることができる。
【００５８】
本実施形態の検出装置１によれば、弾性体突起２２の先端部が導光板３０に当接した状態ですべり方向（導光板３０表面に平行な方向）に変形するので、特許文献１や特許文献２の検出装置に比べて、外圧の方向と大きさの検出精度を高めることができる。第２基板２０の表面に所定の方向の外圧が付加されると、弾性体突起２２は先端部が導光板３０に当接した状態で圧縮変形する。このとき、外圧に面内の所定の方向のすべり力成分がある場合、弾性体突起２２の変形には偏りが生じる。すなわち、弾性体突起２２の重心は基準点からずれて所定方向（すべり方向）に移動する。すると、弾性体突起２２の先端部と導光板３０との接触する面積は、弾性体突起２２の重心が移動した部分と重なる位置の受光センサー１２で相対的に大きくなる。光源３１からの光は、弾性体突起２２の先端部と導光板３０との接触部で散乱する。弾性体突起２２の先端部と導光板３０との接触面積が相対的に大きい部分ほど散乱する光の量が多くなる。つまり、各受光センサー１２で異なる値の光量値が検出される。具体的には、弾性体突起２２の重心と重なる位置の受光センサー１２では相対的に大きい光量値が検出され、弾性体突起２２の重心と重ならない位置の受光センサー１２では相対的に小さい光量値が検出されることとなる。よって、演算装置により、各受光センサー１２で検出された光量値の差分を演算し、その差分に基づいて外圧が加えられた方向と大きさを求めることができる。したがって、外圧の方向と大きさを高い精度で検出することが可能な検出装置１を提供することができる。
また、第１基板１０と第２基板２０とは、導光板３０を挟んで配置され、且つ、受光センサー１２が形成された面と弾性体突起２２が形成された面とを対向させて配置されている。このため、１つの基板に受光部及び透光性突起を配置した構成（例えば、透明板を透過した光が透光性突起の内部を経由して受光部に導かれる構成）に比べて外圧の方向と大きさの検出精度を高めることができる。１つの基板に受光部及び透光性突起を配置した構成では、透光性突起の弾性変形の過程で、透光性突起の先端部（透明板に接触する部分）と末端部（受光部に接触する部分）との間の距離が変動する。すなわち、透明板を透過した光が透光性突起の内部を経由して受光部に導かれる過程で迷光となるおそれがある。しかしながら、本発明では弾性体突起の弾性変形の過程において、導光板３０の厚みは変動することなく一定の形状に維持される。このため、１つの基板に受光部及び透光性突起を配置した構成のように迷光が生じることがない。したがって、外圧の方向と大きさを高い精度で検出することができる。
【００５９】
この構成によれば、複数の受光センサー１２が基準点Ｐに対して点対称に配置されているので、基準点Ｐと各受光センサー１２との間の距離が互いに等しくなる。このため、弾性体突起２２の変形量と各受光センサー１２で検出された光量値の関係が互いに等しくなる。例えば、複数の受光センサーが基準点から互いに異なる距離に配置される場合、弾性体突起２２の変形量が同じであっても、各受光センサーで検出された光量値は互いに異なることとなる。このため、検出値の差分を演算する際に各受光センサーの配置位置に応じた補正係数が必要となる。しかしながら、この構成によれば、弾性体突起２２の変形量と各受光センサー１２で検出された光量値との関係が互いに等しくなるので、前記補正係数は不要となる。したがって、各受光センサー１２の光量値の差分を演算することが容易となり、外圧を効率よく検出することができる。
【００６０】
この構成によれば、複数の受光センサー１２が互いに直交する２方向にマトリクス状に配置されているので、各受光センサー１２で検出された光量値のうち任意に組み合わされた各受光センサー１２で検出された光量値の差分から外圧の方向と大きさを演算することが容易となる。例えば、面内方向成分のうちＸ方向成分を演算する場合、複数の受光センサー１２が複数の方向にランダムに配置されている場合に比べて、相対的に＋Ｘ方向に配置された受光センサーＳ２及及びＳ４の組み合わせと相対的に−Ｘ方向に配置された受光センサーＳ１及びＳ３の組み合わせとを区分けして選出しやすくなる。したがって、外圧を効率よく検出することができる。
【００６１】
この構成によれば、複数の弾性体突起２２が互いに離間して配置されているので、弾性体突起２２が弾性変形したときの第２基板本体２１の面内に平行な方向の変形量を許容することができる。例えば、一方の弾性体突起２２が変形したときに他方の弾性体突起２２に変形の影響を及ぼすことを抑制することができる。このため、複数の弾性体突起２２が互いに接触して配置されている場合に比べて、外圧を正確に各受光センサー１２に伝達することができる。したがって、外圧の方向と大きさを高い精度で検出することができる。
【００６２】
なお、本実施形態においては、受光センサー１２が単位検出領域Ｓ当たり縦２行横２列に計４つ配置されている例を挙げて説明したが、これに限らない。受光センサー１２は、単位検出領域Ｓ当たり３つ以上配置されていればよい。
【００６３】
（第２実施形態）
図７は、図１に対応した、本発明の第２実施形態に係る検出装置２の概略構成を示す分解斜視図である。図７において、符号Ｐは基準点、符号Ｓは１つの弾性体突起２２に対応して配置された複数の受光センサー１１２が検出する単位検出領域を示している。本実施形態の検出装置２は、複数の受光センサー１１２が互いに直交する２方向に少なくとも縦４行横４列に配置されている点で、上述の第１実施形態で説明した検出装置１と異なる。図７において、図１と同様の要素には同一の符号を付し、詳細な説明は省略する。なお、図７においては、便宜上、複数の受光センサー１１２が単位検出領域Ｓ当たり縦４行横４列に配置されているが、実際には図８及び図９に示すように複数の受光センサー１１２が単位検出領域Ｓ当たり縦４行横４列以上に配置されていてもよいものとする。
【００６４】
図７に示すように、検出装置２は、基準点Ｐの回りに複数配置された受光センサー１１２、を有する第１基板１１０と、第１基板１１０と対向配置された導光板３０と、導光板３０の端面に光を入射させる光源３１と、基準点Ｐに重なる位置に重心が位置するとともに外圧によって先端部が第１基板１１０に当接した状態で弾性変形する弾性体突起２２、が形成された第２基板２０と、を備えている。
【００６５】
複数の受光センサー１１２は、互いに直交する２方向（Ｘ方向及びＹ方向）に少なくとも縦４行横４列に計１６個配置されている。具体的には、複数の受光センサー１１２は、単位検出領域Ｓ当たり少なくとも縦４行横４列に計１６個配置されている。これら１６個の受光センサー１１２の中心（単位検出領域Ｓの中心）が基準点Ｐとなっている。
【００６６】
図８（ａ）〜（ｃ）は、図２（ａ）〜（ｃ）に対応した、第２実施形態に係る受光センサーによる光量値の変化を示す断面図である。図９（ａ）〜（ｃ）は、図８（ａ）〜（ｃ）に対応した、第２実施形態に係る受光センサーによる光量値の変化を示す平面図である。なお、図８（ａ）及び図９（ａ）は第２基板２０の表面に外圧が付加される前の状態（外圧の作用がないとき）を示している。図８（ｂ）及び図９（ｂ）は第２基板２０の表面に垂直方向の外圧が付加された状態を示している。図８（ｃ）及び図９（ｃ）は第２基板２０の表面に斜め方向の外圧が付加された状態を示している。また、図９（ａ）〜（ｃ）において、符号Ｇは弾性体突起２２の重心を示している。図８及び図９において、図２及び図３と同様の要素には同一の符号を付し、詳細な説明は省略する。
【００６７】
図８（ａ）及び図９（ａ）に示すように、第２基板２０の表面に外圧が付加される前においては、弾性体突起２２は変形しない。これにより、第２基板２０と導光板３０との間の距離は一定に保たれる。このとき、弾性体突起２２の重心Ｇは基準点Ｐと重なる位置に配置されている。このときの各受光センサー１１２の光量値は図示略のメモリに記憶されている。メモリに記憶された各受光センサー１１２の光量値を基準として外圧の作用する方向や大きさが求められる。
【００６８】
図８（ｂ）及び図９（ｂ）に示すように、第２基板２０の表面に垂直方向の外圧が付加されたときには、弾性体突起２２は先端部が導光板３０に当接した状態でＺ方向に圧縮変形する。これにより、第２基板２０が−Ｚ方向に撓み、第２基板２０と導光板３０との間の距離が外圧の作用がないときに比べて小さくなる。このときの受光センサー１１２で検出された光量値は、外圧の作用がないときに比べて大きくなる。また、その変化量は各受光センサー１１２ともほぼ同じ値となる。
【００６９】
図８（ｃ）及び図９（ｃ）に示すように、第２基板２０の表面に斜め方向の外圧が付加されたときには、弾性体突起２２は先端部が導光板３０に当接した状態で斜めに傾いて圧縮変形する。これにより、第２基板２０が−Ｚ方向に撓み、第２基板２０と導光板３０との間の距離が外圧の作用がないときに比べて小さくなる。また、第２基板２０の撓み量は−Ｘ方向成分よりも＋Ｘ方向成分の方が大きくなる。このとき、弾性体突起２２の重心Ｇは基準点Ｐから＋Ｘ方向及び＋Ｙ方向にずれる。この場合、弾性体突起２２の先端部と複数の受光センサー１１２との重なる面積の割合は、−Ｘ方向及び−Ｙ方向に配置された部分と重なる面積よりも＋Ｘ方向及び＋Ｙ方向に配置された部分と重なる面積のほうが重なる面積の割合が大きくなる。
【００７０】
図１０は、図４に対応した、第２実施形態に係るセンシング領域の座標系を示す図である。なお、図１０において、複数の受光センサーＳｉ（１００個）がマトリクス状に配置されており、このうちの２５の受光センサーＳｉがそれぞれ−Ｘ方向及び＋Ｙ方向に区画された領域、＋Ｘ方向及び＋Ｙ方向に区画された領域、−Ｘ方向及び−Ｙ方向に区画された領域、＋Ｘ方向及び−Ｙ方向に区画された領域に配置されている。また、図１０においては、便宜上、１００個の受光センサーＳｉを図示しているが、受光センサーＳｉの配置数はこれに限らず任意に変更することができる。
【００７１】
図１０に示すように、複数の受光センサーＳｉは、単位検出領域Ｓ当たり縦１０行横１０列に計１００個配置されている。ここで、各受光センサーＳｉが検出する光量値（検出値）をそれぞれＰｉ（ｉ＝１〜１００）、基準点Ｐと各受光センサーＳｉとの間の距離の面内方向成分をｒｉ（ｉ＝１〜１００）とする。また、面内方向成分のうちＸ方向成分をｒｘｉ（ｉ＝１〜１００）、面内方向成分のうちＹ方向成分をｒｙｉ（ｉ＝１〜１００）とすると、外力のＸ方向成分Ｆｘ（外力の面内方向成分のうちＸ方向に作用する分力の割合）は以下の式（４）で表される。
【００７２】
【数４】
2012026907.tif 000006
【００７３】
また、外力のＹ方向成分Ｆｙ（外力の面内方向成分のうちＹ方向に作用する分力の割合）は以下の式（５）で表される。
【００７４】
【数５】
2012026907.tif 000007
【００７５】
また、外力のＺ方向成分Ｆｚ（外力の垂直方向成分）は以下の式（６）で表される。
【００７６】
【数６】
2012026907.tif 000008
【００７７】
本実施形態では、外圧によって弾性体突起が弾性変形することにより変化する１００個の受光センサーＳｉの光量値のうち任意に組み合わされた各受光センサーＳｉの光量値の差分を演算し、その差分に基づいて外圧が加えられた方向が演算される。
【００７８】
式（４）に示すように、外圧のＸ方向成分Ｆｘにおいては、１００個の受光センサーＳｉで検出された光量値のうち相対的に＋Ｘ方向に配置された受光センサーＳｉで検出された値が組み合わされるとともに、相対的に−Ｘ方向に配置された受光センサーＳｉで検出された値が組み合わされる。このように、相対的に＋Ｘ方向に配置された受光センサーＳｉの組み合わせによる光量値と相対的に−Ｘ方向に配置された受光センサーＳｉの組み合わせによる光量値との差分に基づいて外圧のＸ方向成分が求められる。
【００７９】
式（５）に示すように、外圧のＹ方向成分Ｆｙにおいては、１００個の受光センサーＳｉの光量値のうち相対的に＋Ｙ方向に配置された受光センサーＳｉで検出された値が組み合わされるとともに、相対的に−Ｙ方向に配置された受光センサーＳｉで検出された値が組み合わされる。このように、相対的に＋Ｙ方向に配置された受光センサーＳｉの組み合わせによる光量値と相対的に−Ｙ方向に配置された受光センサーＳｉの組み合わせによる光量値との差分に基づいて外圧のＹ方向成分が求められる。
【００８０】
式（６）に示すように、外圧のＺ方向成分Ｆｚにおいては、１００個の受光センサーＳｉで検出された光量値を足し合わせた合力で求められる。ただし、外圧のＺ方向成分Ｆｚは、外圧のＸ方向成分Ｆｘ及び外圧のＹ方向成分Ｆｙに比べて検出値が大きく検出される傾向がある。このため、外圧のＺ方向成分Ｆｚの検出値を、外圧のＸ方向成分Ｆｘ及び外圧のＹ方向成分Ｆｙの検出値と揃えるには、弾性体突起２２の材質や形状によって決定される補正係数で検出値を適宜補正する必要がある。
【００８１】
なお、外圧の作用する方向の算出にあっては、１００個の受光センサーＳｉで検出された光量値の算出結果の平均値で求める方法あるいは１００個の受光センサーＳｉで検出された光量値の算出結果のうちの最大値（例えば所定のしきい値よりも大きい検出値）により求める方法を用いることができる。
【００８２】
本実施形態の検出装置２によれば、複数の受光センサー１１２が互いに直交する２方向に少なくとも縦４行横４列に配置されているので、配置される受光センサー１１２の数が多くなる。このため、多数の受光センサー１１２で検出された光量値に基づいて各受光センサー１１２の検出結果を積算して外圧の作用する方向を求めることができる。したがって、外圧の方向と大きさを高い精度で検出することができる。
【００８３】
（第３実施形態）
図１１は、図７に対応した、本発明の第３実施形態に係る検出装置３の概略構成を示す分解斜視図である。なお、図１１において、符号Ｐは基準点、符号Ｓは１つの弾性体突起２２に対応して配置された複数の受光センサー１１２が検出する単位検出領域を示している。本実施形態の検出装置３は、第２基板２０の表面に第２基板本体２１よりも高い剛性を有する補強部材５１が配置されている点で、上述の第２実施形態で説明した検出装置２と異なる。図１１において、図７と同様の要素には同一の符号を付し、詳細な説明は省略する。
【００８４】
図１１に示すように、検出装置３は、基準点Ｐの回りに複数配置された受光センサー１１２、を有する第１基板１１０と、基準点Ｐに重なる位置に重心が位置するとともに外圧によって先端部が第１基板１１０に当接した状態で弾性変形する弾性体突起２２、が形成された第２基板２０と、第２基板２０の弾性体突起２２が配置された側と反対の側に配置された補強部材５１と、を備えている。
【００８５】
補強部材５１は、矩形板状となっており、平面視において第２基板本体２１と同じサイズに形成されている。この補強部材５１は、第２基板本体２１よりも高い剛性を有している。例えば、第２性基板本体２１の材質が弾性体突起２２の材質と同様に発泡ウレタン樹脂（デュロメータ硬さ３０程度）の場合、補強部材５１の形成材料としては、エポキシ樹脂を用いたりウレタン樹脂（デュロメータ硬さ６０程度）を用いたりすることができる。このため、接触面に弾性体突起２２の配置間隔よりも小さい対象物（例えば先鋭なスタイラスペン）によって外力が加えられた場合であっても、外圧を正確に検出することができる。
【００８６】
図１２（ａ）〜（ｃ）は、図８（ａ）〜（ｃ）に対応した、第３実施形態に係る受光センサーによる光量値の変化を示す断面図である。なお、図１２（ａ）は第２基板２０の表面（補強部材５１の表面）に外圧が付加される前の状態（外圧の作用がないとき）を示している。図１２（ｂ）は第２基板２０の表面に垂直方向の外圧が付加された状態を示している。図１２（ｃ）は第２基板２０の表面に斜め方向の外圧が付加された状態を示している。図１２において、図８と同様の要素には同一の符号を付し、詳細な説明は省略する。
【００８７】
図１２（ａ）に示すように、第２基板２０の表面に外圧が付加される前においては、弾性体突起２２は変形しない。これにより、第１基板１１０と第２基板２０との間の距離は一定に保たれる。このときの各受光センサー１１２で検出された光量値は図示略のメモリに記憶されている。メモリに記憶された各受光センサー１１２で検出された光量値を基準として外圧の作用する方向や大きさが求められる。
【００８８】
図１２（ｂ）に示すように、第２基板２０の表面に垂直方向の外圧が付加されたときには、弾性体突起２２は先端部が導光板３０の表面に当接した状態でＺ方向に圧縮変形する。これにより、第２基板２０が−Ｚ方向に撓み、第２基板２０と導光板３０との間の距離が外圧の作用がないときに比べて小さくなる。このときの受光センサー１１２の光量値は、外圧の作用がないときに比べて大きくなる。
【００８９】
また、外圧は２つの隣り合う弾性体突起２２の間の領域に作用している。本実施形態では第２基板２０の表面に第２基板本体２１よりも高い剛性を有する補強部材５１を備えているので、例えば、指で検出装置３を垂直方向に押した場合、２つの隣り合う弾性体突起２２は互いに垂直方向に圧縮変形することとなる。このように、補強部材５１が無い場合に比べて外力により２つの隣り合う弾性体突起２２が互いに反対方向に圧縮変形してしまうことを抑制することができる。
【００９０】
図１２（ｃ）に示すように、第２基板２０の表面に斜め方向の外圧が付加されたときには、弾性体突起２２は先端部が導光板３０の表面に当接した状態で斜めに傾いて圧縮変形する。これにより、第２基板２０が−Ｚ方向に撓み、第２基板２０と導光板３０との間の距離が外圧の作用がないときに比べて小さくなる。また、第２基板２０の撓み量は−Ｘ方向成分よりも＋Ｘ方向成分の方が大きくなる。このとき、弾性体突起２２の重心Ｇは基準点Ｐから＋Ｘ方向及び＋Ｙ方向にずれる。
【００９１】
また、外圧は２つの隣り合う弾性体突起２２の間の領域に作用している。本実施形態では第２基板２０の表面に第２基板本体２１よりも高い剛性を有する補強部材５１を備えているので、例えば、指で検出装置３を斜め方向に押した場合、２つの隣り合う弾性体突起２２は互いに斜め方向に圧縮変形することとなる。このように、補強部材５１が無い場合に比べて外力により２つの隣り合う弾性体突起２２が互いに反対方向に圧縮変形してしまうことを抑制することができる。
【００９２】
本実施形態の検出装置３によれば、第２基板２０の弾性体突起２２が形成された側と反対の側に第２基板本体２１よりも高い剛性を有する補強部材５１が配置されているので、外圧の方向と大きさを高い精度で検出することができる。例えば、外圧が２つの隣り合う弾性体突起２２の間の領域に作用する場合、補強部材が無いときに比べて２つの隣り合う弾性体突起２２が互いに反対の方向に圧縮変形してしまうことを抑制することができる。つまり、外圧の加えられた方向と反対の方向を検出するといった誤検出を抑制することができる。したがって、外圧の方向と大きさを高い精度で検出することができる。
【００９３】
なお、本実施形態においては、補強部材５１が第２基板２０の表面に配置されているが、これに限らない。例えば、補強部材５１を設けずに、第２基板本体２１自体を弾性体突起２２よりも高い剛性を有する材質で形成してもよい。これにより、補強部材５１を設ける構成に比べて装置の薄型化を図ることができる。
【００９４】
（電子機器）
図１３は、上記実施形態に係る検出装置１〜３を適用した携帯電話機１０００の概略構成を示す模式図である。携帯電話機１０００は、複数の操作ボタン１００３及びスクロールボタン１００２、並びに表示部としての検出装置を適用した液晶パネル１００１を備えている。スクロールボタン１００２を操作することによって、液晶パネル１００１に表示される画面がスクロールされる。液晶パネル１００１にはメニューボタン（図示略）が表示される。例えば、メニューボタンを指で触れると電話帳が表示されたり、携帯電話機の電話番号が表示されたりする。
【００９５】
図１４は、上記実施形態に係る検出装置１〜３を適用した携帯情報端末（ＰＤＡ：Ｐｅｒｓｏｎａｌ  Ｄｉｇｉｔａｌ  Ａｓｓｉｓｔａｎｔｓ）２０００の概略構成を示す模式図である。携帯情報端末２０００は、複数の操作ボタン２００２及び電源スイッチ２００３、並びに表示部としての検出装置を適用した液晶パネル２００１を備えている。電源スイッチ２００３を操作すると、液晶パネル２００１にはメニューボタンが表示される。例えば、メニューボタン（図示略）を指で触れると住所録が表示されたり、スケジュール帳が表示されたりする。
【００９６】
このような電子機器によれば、上述した検出装置を備えているので、外圧の方向と大きさを高い精度で検出することが可能な電子機器を提供することができる。
【００９７】
なお、電子機器としては、この他にも、例えばパーソナルコンピューター、ビデオカメラのモニター、カーナビゲーション装置、ページャ、電子手帳、電卓、ワードプロセッサー、ワークステーション、テレビ電話、ＰＯＳ端末、デジタルスチルカメラ、タッチパネルを備えた機器等が挙げられる。これらの電子機器に対しても、本発明に係る検出装置を適用させることができる。
【００９８】
（ロボット）
図１５は、上記実施形態に係る検出装置１〜３を適用したロボットハンド３０００の概略構成を示す模式図である。図１５（ａ）に示すように、ロボットハンド３０００は、本体部３００３及び一対のアーム部３００２、並びに検出装置を適用した把持部３００１を備えている。例えば、リモコン等の制御装置によりアーム部３００２に駆動信号を送信すると、一対のアーム部３００２が開閉動作する。
【００９９】
図１５（ｂ）に示すように、ロボットハンド３０００でコップ等の対象物３０１０を把持する場合を考える。このとき、対象物３０１０に作用する力は把持部３００１で圧力として検出される。ロボットハンド３０００は、把持部３００１として上述した検出装置を備えているので、対象物３０１０の表面（接触面）に垂直な方向の力と併せて重力Ｍｇですべる方向の力（すべり力の成分）を検出することが可能である。例えば、柔らかい物体を変形させたりすべりやすい物体を落としたりしないよう、対象物３０１０の質感に応じて力を加減しながら持つことができる。
【０１００】
このロボットによれば、上述した検出装置を備えているので、外圧の方向と大きさを高い精度で検出することが可能なロボットを提供することができる。
【符号の説明】
【０１０１】
１，２，３…検出装置、１０，１１０…第１基板、１２，１１２，Ｓ１，Ｓ２，Ｓ３，Ｓ４，Ｓｉ…受光センサー、２０…第２基板、２２…弾性体突起、３０…導光板、３１…光源、５１…補強部材、１０００…携帯電話機（電子機器）、２０００…携帯情報端末（電子機器）、３０００…ロボットハンド（ロボット）
【図１】
2012026907.tif 000009
【図２】
2012026907.tif 000010
【図３】
2012026907.tif 000011
【図４】
2012026907.tif 000012
【図５】
2012026907.tif 000013
【図６】
2012026907.tif 000014
【図７】
2012026907.tif 000015
【図８】
2012026907.tif 000016
【図９】
2012026907.tif 000017
【図１０】
2012026907.tif 000018
【図１１】
2012026907.tif 000019
【図１２】
2012026907.tif 000020
【図１３】
2012026907.tif 000021
【図１４】
2012026907.tif 000022
【図１５】
2012026907.tif 000023